(57)【要約】【課題】利用者の測定頻度を向上させることができる生体情報測定装置を提供することを目的とする。【解決手段】生体情報判定装置は、測定開始を認識する開始認識部と、測定対象について測定した生体情報を測定が行われた時を示す情報と関連づけて記憶する記憶部と、開始判定部が開始を認識したことを条件として、記憶部に記憶される生体情報に基づいて測定頻度を算出し、算出した測定頻度に関する情報の報知出力を制御する制御部と、を備える。【選択図】図２
2015163169.tif 000002
【特許請求の範囲】
【請求項１】
測定開始を認識する開始認識部と、
測定対象について測定した生体情報を測定が行われた時を示す情報と関連づけて記憶する記憶部と、
前記開始認識部が開始を認識したことを条件として、前記記憶部に記憶される生体情報に基づいて測定頻度を算出し、算出した測定頻度に関する情報の報知出力を制御する制御部と、
を備える生体情報測定装置。
【請求項２】
前記制御部は、
前記記憶部に記憶されている生体情報と関連づけられた時を示す情報のうち、最も新しい時を示す情報に基づいて、前記測定頻度に関する情報を算出する請求項１に記載の生体情報測定装置。
【請求項３】
前記制御部は、
前記記憶部に記憶されている生体情報と関連づけられた時を示す情報のうち、所定の期間に含まれる時を示す情報に基づいて、前記測定頻度に関する情報を算出する請求項１に記載の生体情報測定装置。
【請求項４】
前記測定頻度に関する情報は、前記測定頻度に基づく度合いの表示を領域毎に行う請求項１から請求項３のうちいずれか１項に記載の生体情報測定装置。
【請求項５】
前記度合いは、少なくとも２つの領域の情報に表示される画像の個数と前記領域毎につけられている重み係数とを乗じた値と、これらの領域間の境界線に表示される画像の個数と前記境界線につけられている重み係数とを乗じた値とを加算した値である請求項４に記載の生体情報測定装置。
【請求項６】
前記測定頻度に関する情報は、前記測定頻度に基づく音響情報である請求項１から請求項５のうちいずれか１項に記載の生体情報測定装置。
【請求項７】
前記測定頻度に関する情報は、前記測定頻度に基づく振動情報である請求項１から請求項６のうちいずれか１項に記載の生体情報測定装置。
【請求項８】
前記制御部は、
前記記憶部に記憶されている測定頻度に関する情報と、今回測定によって算出した測定頻度に関する情報とを比較し、前記記憶されている測定頻度に関する情報と前記算出した測定頻度に関する情報とが異なっている場合、前記記憶されている測定頻度に関する情報と、前記算出した測定頻度に関する情報とを所定の時間内に交互に切り替えて報知出力する請求項１から請求項７のうちいずれか１項に記載の生体情報測定装置。
【請求項９】
測定対象を認識する測定対象認識部、を備え、
前記記憶部は、測定対象認識部により認識された測定対象毎の測定頻度に関する情報を記憶し、
前記制御部は、前記開始認識部によって開始が認識されたことを条件として、前記測定対象認識部に認識された測定対象について前記記憶部に記憶された測定頻度に関する情報によって、測定対象毎に前記報知出力を制御する請求項１から請求項７のうちいずれか１項に記載の生体情報測定装置。
【発明の詳細な説明】
【技術分野】
【０００１】
本発明は、生体情報測定装置に関する。
【背景技術】
【０００２】
体重や体組成を測定する測定装置において、利用者によって設定された目標条件と、測定された体重や体組成とを比較して、測定結果を表示する際に、測定結果が目標を達成しているか否かに応じて目標達成表示を点滅させて報知する技術が知られている（例えば、特許文献１参照）。
【先行技術文献】
【特許文献】
【０００３】
【特許文献１】特開２０１２−２００２７６号公報
【発明の概要】
【発明が解決しようとする課題】
【０００４】
しかしながら、特許文献１のように、測定結果を表示する際に測定結果が目標を達成しているか否かを報知しても、利用者のモチベーションが下がってきたり、測定者にとって測定が面倒になったりして、測定頻度が落ちる人が多いという問題があった。
このように、測定頻度が落ちた場合、測定による身体の変化傾向を利用者が自分で把握できなくなる。このため、測定頻度の減少は、無理なダイエットや肥満を増長させる要因にもなっていた。
【０００５】
本発明は、上記の問題点に鑑みてなされたものであって、利用者の測定頻度を向上させることができる生体情報測定装置を提供することを目的とする。
【課題を解決するための手段】
【０００６】
上記目的を達成するため、本発明の一態様に係る生体情報測定装置は、測定開始を認識する開始認識部と、測定対象について測定した生体情報を測定が行われた時を示す情報と関連づけて記憶する記憶部と、前記開始認識部が開始を認識したことを条件として、前記記憶部に記憶される生体情報に基づいて測定頻度を算出し、算出した測定頻度に関する情報の報知出力を制御する制御部と、を備える。
【０００７】
また、本発明の一態様に係る生体情報測定装置であって、前記制御部は、前記記憶部に記憶されている生体情報と関連づけられた時を示す情報のうち、最も新しい時を示す情報に基づいて、前記測定頻度に関する情報を算出するようにしてもよい。
【０００８】
また、本発明の一態様に係る生体情報測定装置であって、前記制御部は、前記記憶部に記憶されている生体情報と関連づけられた時を示す情報のうち、所定の期間に含まれる時を示す情報に基づいて、前記測定頻度に関する情報を算出するようにしてもよい。
【０００９】
また、本発明の一態様に係る生体情報測定装置であって、前記測定頻度に関する情報は、前記測定頻度に基づく度合いの表示を領域毎に行うようにしてもよい。
【００１０】
また、本発明の一態様に係る生体情報測定装置であって、前記度合いは、少なくとも２つの領域の情報に表示される画像の個数と前記領域毎につけられている重み係数とを乗じた値と、これらの領域間の境界線に表示される画像の個数と前記境界線につけられている重み係数とを乗じた値とを加算した値であるようにしてもよい。
【００１１】
また、本発明の一態様に係る生体情報測定装置であって、前記測定頻度に関する情報は、前記測定頻度に基づく音響情報であるようにしてもよい。
【００１２】
また、本発明の一態様に係る生体情報測定装置であって、前記測定頻度に関する情報は、前記測定頻度に基づく振動情報であるようにしてもよい。
【００１３】
また、本発明の一態様に係る生体情報測定装置であって、前記制御部は、前記記憶部に記憶されている測定頻度に関する情報と、今回測定によって算出した測定頻度に関する情報とを比較し、前記記憶されている測定頻度に関する情報と前記算出した測定頻度に関する情報とが異なっている場合、前記記憶されている測定頻度に関する情報と、前記算出した測定頻度に関する情報とを所定の時間内に交互に切り替えて報知出力するようにしてもよい。
【００１４】
また、本発明の一態様に係る生体情報測定装置であって、測定対象を認識する測定対象認識部、を備え、前記記憶部は、測定対象認識部により認識された測定対象毎の測定頻度に関する情報を記憶し、前記制御部は、前記開始認識部によって開始が認識されたことを条件として、前記測定対象認識部に認識された測定対象について前記記憶部に記憶された測定頻度に関する情報によって、測定対象毎に前記報知出力を制御するようにしてもよい。
【発明の効果】
【００１５】
本発明の一態様によれば、利用者の測定頻度を向上させることができる。
【図面の簡単な説明】
【００１６】
【図１】第１実施形態に係る体組成計の外形の例を示す概略外形図である。
【図２】第１実施形態に係る体組成計の機能構成を示す概略ブロック図である。
【図３】第１実施形態に係る記憶部に記憶される個人別情報のデータ構造の例を示す説明図である。
【図４】第１実施形態に係る測定の状態、測定頻度、及び頻度画像の関係を説明する図である。
【図５】第１実施形態に係る記憶部に記憶される管理番号と測定頻度の例を示す説明図である。
【図６】第１実施形態に係る表示部に表示される頻度画像（Ａ）の一例を示す図である。
【図７】第１実施形態に係る表示部に表示される頻度画像（Ｂ）の一例を示す図である。
【図８】第１実施形態に係る表示部に表示される頻度画像（Ｃ）の一例を示す図である。
【図９】第１実施形態に係る制御部の処理手順の一例のフローチャートである。
【図１０】第１実施形態に係る表示部に表示される他の頻度画像の一例を示す図である。
【図１１】第２実施形態に係る体組成計の機能構成を示す概略ブロック図である。
【図１２】第２実施形態に係る測定の状態、測定頻度、頻度画像、頻度音、頻度振動の関係を説明する図でする。
【発明を実施するための形態】
【００１７】
以下、図面を参照しながら本発明の実施形態について説明する。
［第１実施形態］
本実施形態では、生体情報測定装置として体重及び体組成を測定する体組成計を例に説明する。
図１は、本実施形態に係る体組成計１（生体情報測定装置）の外形の例を示す概略外形図である。図１に示すように、体組成計１は、電極１０−１〜１０−４（開始認識部）、操作入力部２０（開始認識部）、及び表示部８０を備える。
【００１８】
体組成計１は、利用者の体重及び体組成を測定し、測定値と測定頻度とを記憶する。体組成計１に複数の個人別登録情報を登録可能であり、体組成計１は、利用者毎に測定頻度を記憶する。なお、体組成計１が測定する体組成としては、ＢＭＩ（Ｂｏｄｙ  Ｍａｓｓ  Ｉｎｄｅｘ; ボディマス指数）、体脂肪率、筋肉量、内蔵脂肪レベル、体水分量、骨量等が挙げられるが、これらに限られるものではないし、これら全てを含む必要もない。また、個人別登録情報は、利用者の年齢、性別、及び身長など、ユーザ毎に、生体情報の測定を行う前に予め体組成計１に登録される情報である。
【００１９】
電極１０−１〜１０−４は、インピーダンスセンサとして機能する電極であり、生体情報センサ部１０（図２）の一例である。例えば、利用者の左足が電極１０−１と１０−３の上に、右足が電極１０−２と１０−４の上にそれぞれ載置され、電極１０−１及び１０−２から生体に電流を流し、電極１０−３及び１０−４でそれぞれ電圧を測定することで、生体インピーダンスを測定される。
【００２０】
操作入力部２０は、例えば、押釦式の設定ボタンやフットスイッチ（足で操作するスイッチ）等の入力デバイスを有し、ユーザ操作を受け付ける。操作入力部２０は、各種の設定を開始したり、入力された情報を入力値として決定したりするときに使用される設定ボタン、体組成計１の電源をオフ状態にするオフボタン、登録する内容を選択するときなどに使用される測定項目ボタン等を含む。
【００２１】
表示部８０は、例えば、液晶式のデジタルパネルメータを含む表示画面を有し、測定頻度に基づく表示、及び体重や体組成の測定値など各種情報を表示する。なお、表示部８０に表示される情報については、後述する。
【００２２】
図２は、本実施形態に係る体組成計１の機能構成を示す概略ブロック図である。
図２に示すように、体組成計１は、生体情報センサ部１０、操作入力部２０、生体情報取得部３０（開始判定部）、制御部４０（制御部、測定対象判定部）、タイムクロック部５０、記憶部６０、表示駆動部７０、及び表示部８０を備える。
【００２３】
体組成計１の生体情報センサ部１０は、体組成計１の測定台の下方に載置され、重量センサとして機能するロードセル（不図示）を含む。生体情報センサ部１０は、体重や生体インピーダンスなどの生体情報を測定する。なお、生体情報センサ部１０は、インピーダンスセンサと重量センサに限られるものではない。
【００２４】
生体情報取得部３０は、生体情報センサ部１０を制御して生体情報を取得する。具体的には、生体情報取得部３０は、生体情報センサ部１０を制御して体重の測定を行わせ、体重測定値を取得する。また、生体情報取得部３０は、生体情報センサ部１０を制御して生体インピーダンスの測定を行わせ、得られた生体インピーダンス測定値を取得する。生体情報取得部３０は、取得した体重測定値、生体インピーダンス測定値を制御部４０に出力する。
【００２５】
制御部４０は、電源がオン状態になったのち、生体情報取得部３０から入力される生体インピーダンス測定値及び体重測定値等に基づいて、体組成の測定値を算出する。また、制御部４０は、利用者が操作入力部２０を操作して入力した日時に関する情報、個人別登録情報を取得する。制御部４０は、入力された日時を示す情報を用いて、タイムクロック部５０の日時を設定する。制御部４０は、生体情報取得部３０から入力される体重測定値、算出した体組成の測定値、タイムクロック部５０によって生成される測定が行われた日時を示す情報を関連づけて生体情報を生成し、生成した生体情報を個人別登録情報に関連づけて記憶部６０に記憶させる。
【００２６】
また、制御部４０は、最も新しい生体情報を記憶部６０から読み出し、読み出した生体情報の日時を示す情報に基づいて、測定頻度を算出する。そして、制御部４０は、算出した測定頻度を、複数のレベルに分類し、分類した測定頻度を示す情報を記憶部６０に記憶する。制御部４０は、測定の際、利用者を特定した後、記憶部６０に記憶されている測定頻度に関連づけられている頻度画像に関する情報を読み出し、読み出した頻度画像に関する情報を表示駆動部７０に出力する。なお、例えば個人別登録情報が登録されていない場合、制御部４０は、電源がオン状態になったとき、記憶部６０に記憶されている測定頻度に関連づけられている頻度画像に関する情報を読み出し、読み出した頻度画像に関する情報を表示駆動部７０に出力する。
【００２７】
記憶部６０には、利用者毎の利用者に関する情報と、測定頻度を示す情報とが関連づけて記憶される。また、記憶部６０には、測定頻度毎の頻度画像に関する情報が記憶される。
表示駆動部７０は、制御部４０から入力される頻度画像に関する情報に応じた頻度画像を表示部８０上に表示させる。
【００２８】
なお、制御部４０は、操作入力部２０のいずれかのボタンが押されたことを検出し、検出した結果に応じて電源がオン状態になるように制御してもよい。または、電源をオン状態にするとき使用されるオンボタンを操作入力部２０が有し、制御部４０は、このオンボタンが操作されたことを検出し、検出した結果に応じて電源がオン状態になるようにしてもよい。あるいは、測定対象である人が生体情報センサ部１０に乗ったことを、生体情報センサ部１０、または生体情報取得部３０が検出し、制御部４０は、生体情報センサ部１０、または生体情報取得部３０によって検出された結果に応じて電源がオン状態になるようにしてもよい。あるいは、体組成計１に、例えば、Ｂｌｕｅｔｏｏｔｈ（登録商標）、Ｗｉ−Ｆｉ（登録商標）等の通信部を設け、携帯端末等の外部装置からの操作入力を、当該通信部を介して受信し、電源がオン状態になるようにしてもよいし、これら以外によって電源がオン状態になるようにしてもよい。
【００２９】
図３は、本実施形態に係る記憶部６０に記憶される個人別情報のデータ構造の例を示す説明図である。ここでいう個人別情報とは、体組成計１がユーザ毎に記憶する情報である。
図３の例において、記憶部６０には、複数の個人別情報として、利用者毎の管理番号、個人別登録情報、及び生体情報が関連づけられて記憶される。
【００３０】
管理番号は、個人別情報を１人分ずつ識別する情報である。例えば、個人別情報の登録時に制御部４０が管理ＩＤを設定する。
個人別登録情報は、図３の例では、利用者の年齢、性別、及び身長である。
生体情報は、図３の例では、各回の測定について測定日時、体重、及び体脂肪率である。
【００３１】
なお、記憶部６０に記憶される生体情報の組は、記憶部６０の記憶容量に応じた組数であってもよい。そして、記憶部６０の空き容量が所定の容量より少なくなった場合、制御部４０は、測定日時の古い生態情報から順番に削除するようにしてもよい。
また、記憶部６０が記憶する個人別情報は、未登録の情報を含んでいてもよい。例えば、個人１の個人別情報は登録済みで、個人２の個人別情報は未登録であってもよい。未登録の情報は、未登録であることを識別可能なデータ値（例えば、ヌルストリング）であってもよい。
【００３２】
図４は、本実施形態に係る測定の状態、測定頻度、及び頻度画像の関係を説明する図である。
図４に示す例では、「毎日、測定が行われている」測定の状態が、測定頻度（Ａ）であり、表示部８０に表示される画像が頻度画像（Ａ）であることを示している。また、「１日〜７日、測定が行われていない」測定の状態が、測定頻度（Ｂ）であり、表示部８０に表示される画像が頻度画像（Ｂ）であることを示している。さらに、「８日以上、測定が行われていない」測定の状態が、測定頻度（Ｃ）であり、表示部８０に表示される画像が頻度画像（Ｃ）であることを示している。
なお、図４に示した分類例は、一例であり、これに限られない。また、分類されるレベルは、２つ以上であればよい。
【００３３】
ここで、測定頻度の判別例について説明する。
制御部４０は、測定頻度の算出時に記憶部６０に記憶されている日時が最も新しい生体情報を読み出す。そして、制御部４０は、現在の日時と、読み出した日時とを比較する。読み出した生体情報の日時が前日の場合、制御部４０は、毎日測定が行われている、すなわち測定頻度（Ａ）であると判別する。また、読み出した生体情報の日時が３日前の場合、制御部４０は、１日〜７日測定が行われていない、すなわち測定頻度（Ｂ）であると判別する。また、読み出した生体情報の日時が９日前の場合、制御部４０は、８日以上測定が行われていない、すなわち測定頻度（Ｃ）であると判別する。
【００３４】
図５は、本実施形態に係る記憶部６０に記憶される管理番号と測定頻度の例を示す説明図である。
図５に示すように、記憶部６０には、管理番号と測定頻度とが関連づけられて記憶される。
図５に示す例では、管理番号が個人１と測定頻度（Ａ）とが関連づけられて記憶され、管理番号が個人２と測定頻度（Ｃ）とが関連づけられて記憶されている。
【００３５】
図６は、本実施形態に係る表示部８０に表示される頻度画像（Ａ）の一例を示す図である。図７は、本実施形態に係る表示部８０に表示される頻度画像（Ｂ）の一例を示す図である。図８は、本実施形態に係る表示部８０に表示される頻度画像（Ｃ）の一例を示す図である。
【００３６】
図６〜図８において、紙面に向かって左右方向をｘ軸方向、上下方向をｙ軸方向とする。また、図６〜図８において、鎖線ｌ１は、頻度画像におけるｙ軸方向の中心線、鎖線ｌ２は、頻度画像におけるｙ軸方向の上限を示す線、鎖線ｌ３は、頻度画像におけるｙ軸方向の下限を示す線である。また、矢印ｕｐは、頻度画像におけるｙ軸方向の上半分の領域、矢印ｄｗは、頻度画像におけるｙ軸方向の下半分の領域を示している。
また、図６〜図８は、７セグメント表示を用いて、各頻度画像を表した例である。
【００３７】
図６に示すように、符号１０１が示す領域の画像である頻度画像（Ａ）は、鎖線ｌ２上にｘ軸方向の線が２本（線１０２、１０３）、鎖線ｌ１上にｘ軸方向の線が１本（線１０４）、鎖線ｌ３上にｘ軸方向の線を１本（線１０５）、有している。
図７に示すように、符号１１１が示す領域の画像である頻度画像（Ｂ）は、鎖線ｌ２上にｘ軸方向の線が２本（線１１２、１１３）、鎖線ｌ１上にｘ軸方向の線が３本（線１１４〜１１６）、鎖線ｌ３上にｘ軸方向の線を１本（線１１７）、有している。
図７に示すように、符号１２１が示す領域の画像である頻度画像（Ｃ）は、鎖線ｌ１上にｘ軸方向の線が３本（線１２２〜１２４）、鎖線ｌ３上にｘ軸方向の線を１本（線１２５）、有している。
【００３８】
図６〜図８に示した各頻度画像は、予め定められている重み係数を各ｘ軸方向の線の本数に乗じて、各頻度画像の表示度合いが算出された結果の画像である。記憶部６０には、頻度画像、または測定頻度に応じた表示度合いのうち、少なくとも１つが記憶されていてもよい。
例えば、図６〜図８において、鎖線ｌ２上にあるｘ軸方向の線の重み係数は＋１．０、鎖線ｌ１上にあるｘ軸方向の線の重み係数は−０．５、鎖線ｌ３上にあるｘ軸方向の線の重み係数は−１．０である。
【００３９】
このため、図６に示した頻度画像（Ａ）の表示度合いは、０．５（＝１．０×２−０．５×１−１．０×１）、図７に示した頻度画像（Ｂ）の表示度合いは、−０．５（＝１．０×２−０．５×３−１．０×１）、図８に示した頻度画像（Ｃ）の表示度合いは、−２．５（＝−０．５×３−１．０×１）である。
すなわち、本実施形態では、表示頻度に応じて、表示部８０に表示させる頻度画像の表示状態である表示度合いを変化させている。換言すると、本実施形態では、図６〜図８に示すように、測定頻度が高い程、表示度合いの値が大きくなるように頻度画像を表示させ、測定頻度が低い程、表示度合いの値が小さくなるように頻度画像を表示させる。
【００４０】
次に、制御部４０が行う処理について説明する。
図９は、本実施形態に係る制御部４０の処理手順の一例のフローチャートである。なお、利用者が操作入力部２０の何れかのボタンを押下して体組成計１を起動すると、この処理が実行される。
【００４１】
（ステップＳ１）制御部４０は、操作入力部２０のいずれかのボタンが利用者によって押下されたとき、記憶部６０に個人別登録情報が保存されているか否かを判別する。制御部４０は、記憶部６０に個人別登録情報が保存されていると判別した場合（ステップＳ１；ＹＥＳ）、ステップＳ５に進み、記憶部６０に個人別登録情報が保存されていないと判別した場合（ステップＳ１；ＮＯ）、ステップＳ２に進む。
【００４２】
（ステップＳ２）制御部４０は、操作入力部２０を操作して利用者が入力または選択した利用者の年齢に関する情報を取得する。制御部４０は、処理終了後、処理をステップＳ３に進める。
（ステップＳ３）制御部４０は、操作入力部２０を操作して利用者が入力または選択した利用者の性別に関する情報を取得する。制御部４０は、処理終了後、処理をステップＳ４に進める。
【００４３】
（ステップＳ４）制御部４０は、操作入力部２０を操作して利用者が入力または選択した利用者の身長に関する情報を取得する。次に、制御部４０は、取得した年齢、性別、身長を示す情報を関連づけて個人別登録情報を生成し、生成した個人別登録情報に管理番号を付与する。次に、制御部４０は、付与した管理番号、生成した個人別登録情報を関連づけて記憶部６０に記憶させる。制御部４０は、処理終了後、処理をステップＳ５に進める。
【００４４】
（ステップＳ５）制御部４０は、生体情報取得部３０が取得した体重を示す情報を取得することで、体重測定を行う。制御部４０は、処理終了後、処理をステップＳ６に進める。
（ステップＳ６）制御部４０は、生体情報取得部３０が取得した生体インピーダンス測定値及び体重測定値等に基づいて、体組成の測定値を算出することで、体組成測定を行う。次に、制御部は、測定した体重を示す情報、及び体組成を示す情報、タイムクロック部から取得した測定日時を示す情報、及び個人別登録情報を関連づけて記憶部６０に記憶させる。制御部４０は、処理終了後、処理をステップＳ７に進める。
【００４５】
（ステップＳ７）制御部４０は、記憶部６０に記憶されている個人別情報のうち、最も新しい生体情報を読み出す。制御部４０は、処理終了後、処理をステップＳ８に進める。
【００４６】
（ステップＳ８）制御部４０は、読み出した最も新しい生体情報の日時に基づいて、測定頻度を決定し、決定した測定頻度を管理番号に関連づけて記憶部６０に記憶させる。次に、制御部４０は、決定した測定頻度に関連づけられて記憶部６０に記憶されている頻度画像に関する情報を読み出す。制御部４０は、処理終了後、処理をステップＳ９に進める。
【００４７】
（ステップＳ９）制御部４０は、ステップＳ６で記憶部６０に保存された体重及び体組成、及びステップＳ８で読み出された頻度画像に関する情報に応じた頻度画像を、表示駆動部７０を駆動して表示部８０に表示させる。
なお、制御部４０は、所定の時間が経過すると自動的に体組成計１を電源がオフ状態に制御する。
【００４８】
なお、制御部４０は、体重を示す情報、体組成を示す情報、及測定頻度に応じた頻度画像の全てを同時に表示部８０上に表示させてもよい。また、制御部４０は、このうちの２つを同時に表示し、残りの画像と所定の周期で交互に表示部８０上に表示させてもよく、または所定の時間が経過後に残りの画像を表示するようにしてもよい。さらに、制御部４０は、３つの画像を所定の周期で交互に表示部８０上に表示させてもよい。
【００４９】
以上のように、本実施形態の生体情報測定装置（例えば、体組成計１）は、測定開始を認識する開始認識部（例えば、生体情報センサ部１０、操作入力部２０、生体情報取得部３０）と、測定対象について測定した生体情報を測定が行われた時を示す情報と関連づけて記憶する記憶部（例えば、記憶部６０）と、開始認識部が開始を認識したことを条件として、記憶部に記憶される生体情報に基づいて測定頻度を算出し、算出した測定頻度に関する情報の報知出力を制御する制御部（例えば、制御部４０）と、を備える。
【００５０】
この構成によって、本実施形態の体組成計１は、利用者が体組成計１に乗り、生体情報を測定したとき、または測定した後に、表示部８０上に測定頻度に応じて報知出力される。この結果、本実施形態の体組成計１によれば、利用者は、報知されて結果に応じて測定頻度を知ることができる。そして、本実施形態の体組成計１によれば、利用者に対して、測定頻度を増やすようにモチベーションを上げることができるため、利用者の測定頻度を向上させることができる。
【００５１】
また、本実施形態の生体情報測定装置（例えば、体組成計１）において、測定頻度に関する情報は、前定頻度に基づく度合いの表示を領域毎に行う。
また、本実施形態の生体情報測定装置（例えば、体組成計１）において、度合いは、少なくとも２つの領域（上半分の領域、下半分の領域）の情報に表示される画像の個数と領域毎につけられている重み係数とを乗じた値と、これらの領域間の境界線（例えば鎖線ｌ１）に表示される画像の個数と境界線につけられている重み係数とを乗じた値とを加算した値である。
【００５２】
この構成によって、本実施形態の体組成計１は、利用者が測定を行ったとき、測定頻度に応じた画像が表示されるため、利用者は測定頻度を視覚的に知ることができる。この結果、本実施形態の体組成計１によれば、利用者は、報知された結果に応じて測定頻度を知ることができる。そして、本実施形態の体組成計１によれば、利用者に対して、測定頻度を増やすようにモチベーションを上げることができるため、利用者の測定頻度を向上させることができる。例えば、利用者は、頻度画像（Ａ）が表示されたことによって、自分が毎日、測定していることを視覚的に知ることができる。そして、利用者は、表示部８０上に表示される画像が頻度画像（Ｂ）または頻度画像（Ｃ）に変化した場合、使用頻度が下がったことを知ることができる。このため、本実施形態の体組成計１は、利用者に対して、頻度画像（Ａ）のような画像が表示され続けるように、あるいは、頻度画像（Ｂ）または頻度画像（Ｃ）のような画像が表示されないように測定回数を増やすことを促す効果を得ることができる。さらに、本実施形態の体組成計１によれば、測定頻度の減少を防ぐことができるので、利用者は、自分の身体の変化傾向を把握して、無理なダイエットを行うことを防ぎ、肥満の増長を防ぐ効果が得られる。
【００５３】
なお、本実施形態では、各領域にある画像のうち、水平方向の画像に重み付けを行う例を説明したが、これに限られない。垂直方向の画像に対しても重み付けを行うようにしてもよい。また、表示部８０がドットマトリクス方式の表示装置の場合、各領域毎のドットに重み付けを行うようにしてもよい。
【００５４】
なお、制御部４０は、測定頻度に応じた頻度画像を、体重、体組成の測定結果を表示する前に表示してもよく、または、測定結果と一緒に表示してもよく、あるいは、測定結果を表示する後に表示してもよい。
また、個人データが登録されている場合、制御部４０は、個人データを測定結果の前、同時、及び後のうち、いずれか１つのタイミングで表示するようにしてもよい。
【００５５】
なお、図６〜図８に示した頻度画像の例では、７セグメントの表示状態を制御することで、顔の表情の画像を変化させる例を示したが、これに限られない。表示部８０が、例えばドットマトリックス方式の液晶表示装置の場合、これらの画素を制御することで、図６〜図８に示したような頻度画像に相当する画像を表示させるようにしてもよい。
【００５６】
また、本実施形態では、図６〜図８のような静止画を表示する例を説明したが、これに限られない。制御部４０は、複数の静止画を切り替えてアニメーションのように表示させてもよい。
また、前回測定を行ったときの測定頻度が測定頻度（Ｂ）であり、今回測定を行ったときの測定頻度が測定頻度（Ａ）の場合、制御部４０は、先に頻度画像（Ｂ）を表示した後、頻度画像（Ａ）に変化させるように表示部８０上に表示させてもよい。これにより、利用者は、測定頻度が改善したことを知ることができる。
【００５７】
また、本実施形態では、測定頻度に応じて図６〜図８に示したような画像を表示させる例を説明したが、報知される画像はこれに限られない。
図１０は、本実施形態に係る表示部８０に表示される他の頻度画像３０１の一例を示す図である。
図１０において、紙面に向かって左右方向をｘ軸方向、上下方向をｙ軸方向とする。また、図１０において、鎖線ｌ１１は、頻度画像におけるｙ軸方向の分割線、鎖線ｌ１２は、頻度画像におけるｙ軸方向の上限を示す線、鎖線ｌ１３は、頻度画像におけるｙ軸方向の下限を示す線である。また、矢印ｕｐは、頻度画像におけるｙ軸方向の上半分の領域、矢印ｄｗは、頻度画像におけるｙ軸方向の下半分の領域を示している。
図１０に示す頻度画像３０１では、鎖線ｌ１１に示す分割線が中心より上にある。例えば、頻度画像３０１は、上半分の領域が略１／３分、下半分の領域が略２／３に、割線によって分割される。このように、頻度によって表示が変化させられる領域は、例えば、上下が１対１であってもよく、１／３対２／３等であってもよく、２／３対１／３であってもよい。
【００５８】
また、測定頻度に応じて頻度画像の色、または濃度を、図６〜図８、図１０における頻度画像の上下の領域毎に変化させるようにしてもよい。制御部４０は、例えば、測定頻度（Ａ）のときに、明度が高い色で上下の領域に画像を表示させ、測定頻度（Ｂ）のとき、下の領域に上の領域より明度の低い色の画像を表示させるようにしてもよい。そして、制御部４０は、測定頻度（Ｃ）のとき、測定頻度（Ｂ）のとき下の領域に表示させる明度の低い色の画像を表示させ、下の領域には、上の領域より明度の低い色の画像を表示させるようにしてもよい。
【００５９】
また、測定頻度（Ａ）のとき表示部８０に表示させる色は、例えば、人がうれしい、または楽しいと感じる色、例えばオレンジ色、黄色等であってもよい。また、測定頻度（Ｂ）のとき表示部８０に表示させる色は、例えば、人が微妙と感じる色、例えば、濃紺色、深緑等であってもよい。また、測定頻度（Ｃ）のとき表示部８０に表示させる色は、例えば、人が複雑と感じる色、例えば水色、灰色等であってもよい。
また、表示部８０上に表示される色は一色に限られず、上下の領域に異なる色が表示されるようにしてもよく、さらに、表示される色は３色以上であってもよい。このように、２色以上を表示部８０上に表示させる場合、色の組み合わせは、測定頻度（Ａ）のとき、人がうれしい、または楽しいと感じる色、測定頻度（Ｂ）のとき、人が微妙と感じる色、測定頻度（Ｃ）のとき、人が複雑と感じる色であってもよい（色の配色は、例えば参考文献１参照）。
【００６０】
参考文献１  カラーイメージスケール改訂版Ｖｅｒｓｉｏｎ２、小林重順著、日本カラーデザイン研究所編、講談社、２００１．１１．１５
【００６１】
［第２実施形態］
第１実施形態では、測定頻度を表示部８０に画像で表示する例を説明したが、測定頻度の報知はこれに限られない。本実施形態では、音による報知、振動による報知の例を説明する。
【００６２】
図１１は、本実施形態に係る体組成計１Ａの機能構成を示す概略ブロック図である。
図１１に示すように、体組成計１Ａは、生体情報センサ部１０、操作入力部２０、生体情報取得部３０、制御部４０Ａ、タイムクロック部５０、記憶部６０Ａ、表示駆動部７０、表示部８０、音響駆動部２１０、音響出力部２２０、振動駆動部２３０、及び振動出力部２４０を備える。なお、体組成計１と同じ機能を有する機能部には同じ符号を用いて、説明を省略する。
【００６３】
制御部４０Ａは、生体情報取得部３０から入力される生体インピーダンス測定値及び体重測定値等に基づいて、体組成の測定値を算出する。また、制御部４０Ａは、利用者が操作入力部２０を操作して入力した日時に関する情報、個人別登録情報を取得する。制御部４０Ａは、入力された日時を示す情報を用いて、タイムクロック部５０の日時を設定する。制御部４０Ａは、生体情報取得部３０から入力される体重測定値、算出した体組成の測定値、タイムクロック部５０によって生成される測定が行われた日時を示す情報を関連づけて生体情報を生成し、生成した生体情報を個人別登録情報に関連づけて記憶部６０に記憶させる。
【００６４】
また、制御部４０Ａは、所定の期間の生体情報を記憶部６０から読み出し、読み出した生体情報の日時を示す情報に基づいて、測定頻度を算出する。所定の期間とは、例えば測定が行われる日時から前の８日間である。例えば、読み出した８日間の生体情報に、４日間以上の生体情報がある場合、制御部４０Ａは、測定が毎日行われている、すなわち測定頻度（Ａ）であると判別する。また、読み出した８日間の生体情報に、１日以上、４日間未満の生体情報があるする場合、制御部４０Ａは、１日〜７日測定が行われていない、すなわち測定頻度（Ｂ）であると判別する。また、読み出した８日間の生体情報に、１日分も生体情報がない場合、制御部４０Ａは、８日以上測定が行われていない、すなわち測定頻度（Ｃ）であると判別する。
【００６５】
制御部４０Ａは、算出した測定頻度を、複数のレベルに分類し、分類した測定頻度を示す情報を記憶部６０Ａに記憶する。制御部４０Ａは、測定の際、利用者を特定した後、記憶部６０Ａに記憶されている測定頻度に関連づけられている頻度画像に関する情報、頻度音に関する情報、及び頻度振動に関する情報のうち、少なくとも１つの情報を読み出し、読み出した情報を対応する表示駆動部７０、音響駆動部２１０、振動駆動部２３０に出力する。
【００６６】
記憶部６０Ａには、利用者毎の利用者に関する情報と、測定頻度を示す情報とが関連づけて記憶される。また、記憶部６０Ａには、測定頻度毎の頻度画像、頻度音、及び頻度振動に関する情報が記憶される。
【００６７】
図１２は、本実施形態に係る測定の状態、測定頻度、頻度画像、頻度音、頻度振動の関係を説明する図でする。
図１２に示す例では、「毎日、測定が行われている」測定の状態が、測定頻度（Ａ）であり、表示部８０に表示される画像が頻度画像（Ａ）、音響出力部２２０から出力される音響信号が頻度音（Ａ）、振動出力部２４０から出力される振動が頻度振動（Ａ）であることを示している。また、「１日〜７日、測定が行われていない」測定の状態が、測定頻度（Ｂ）であり、表示部８０に表示される画像が頻度画像（Ｂ）、音響出力部２２０から出力される音響信号が頻度音（Ｂ）、振動出力部２４０から出力される振動が頻度振動（Ｂ）であることを示している。さらに、「８日以上、測定が行われていない」測定の状態が、測定頻度（Ｃ）であり、表示部８０に表示される画像が頻度画像（Ｃ）、音響出力部２２０から出力される音響信号が頻度音（Ｃ）、振動出力部２４０から出力される振動が頻度振動（Ｃ）であることを示している。頻度音は、音声信号であっても音楽信号であってもよい。
なお、図１２に示した分類例は、一例であり、これに限られない。また、分類されるレベルは、２つ以上であればよい。
【００６８】
頻度音（Ａ）は、例えば、人がうれしい、または楽しいと感じる連続音または音楽、測定音（Ｂ）は、例えば、人が微妙と感じる連続音または音楽、測定音（Ｃ）は、例えば、人が複雑と感じる連続音または音楽であってもよい。または、頻度音（Ａ）は、例えば、第１テンポの連続音または音楽、測定音（Ｂ）は、第１テンポより速いテンポの連続音または音楽、測定音（Ｃ）は、第２テンポより速いテンポの連続音または音楽であってもよい。
また、頻度振動（Ａ）は、例えば、第１テンポの振動、測定音（Ｂ）は、第１テンポより速いテンポの振動、測定音（Ｃ）は、第２テンポより速いテンポの振動であってもよい。
【００６９】
次に、制御部４０Ａが行う処理について、図９を用いて説明する。
（ステップＳ１〜Ｓ６）制御部４０Ａは、第１実施形態と同様に処理を行う。
【００７０】
（ステップＳ７）制御部４０Ａは、記憶部６０Ａに記憶されている個人別情報のうち、測定が行われた日時から所定の期間に測定された生体情報を探索する。制御部４０Ａは、処理終了後、処理をステップＳ８に進める。
【００７１】
（ステップＳ８）制御部４０Ａは、探索した結果に基づいて、測定頻度を決定し、決定した測定頻度を管理番号に関連づけて記憶部６０Ａに記憶させる。次に、制御部４０Ａは、決定した測定頻度に関連づけられて記憶部６０Ａに記憶されている頻度画像に関する情報、頻度音に関する情報、及び頻度振動に関する情報のうち、少なくとも１つの情報を読み出す。制御部４０Ａは、処理終了後、処理をステップＳ９に進める。
【００７２】
（ステップＳ９）制御部４０Ａは、ステップＳ８で読み出された情報が頻度画像に関する情報の場合、ステップＳ６で記憶部６０Ａに保存された体重及び体組成、及び頻度画像に関する情報に応じた頻度画像を、表示駆動部７０を駆動して表示部８０に表示させる。または、制御部４０Ａは、ステップＳ８で読み出された情報が頻度音に関する情報の場合、ステップＳ６で記憶部６０Ａに保存された体重及び体組成を、表示駆動部７０を駆動して表示部８０に表示させ、頻度音に関する情報に基づいて、音響駆動部２１０を駆動して音響出力部２２０から出力させる。または、制御部４０Ａは、ステップＳ８で読み出された情報が頻度振動に関する情報の場合、ステップＳ６で記憶部６０Ａに保存された体重及び体組成を、表示駆動部７０を駆動して表示部８０に表示させ、頻度振動に関する情報に基づいて、振動駆動部２３０を駆動して振動出力部２４０から出力させる。
なお、制御部４０Ａは、例えば表示部８０上に頻度画像を表示させ、さらに音響出力部２２０から頻度音を出力させるようにしてもよい。
【００７３】
以上のように、本実施形態の生体情報測定装置（例えば、体組成計１、１Ａ）は、測定対象を認識する測定対象認識部（例えば、制御部４０、４０Ａ）、を備え、記憶部（例えば、記憶部６０、６０Ａ）は、測定対象認識部により認識された測定対象毎の測定頻度に関する情報を記憶し、制御部（例えば、制御部４０、４０Ａ）は、開始認識部（例えば、生体情報センサ部１０、操作入力部２０、生体情報取得部３０）によって開始が認識したことを条件として、測定対象認識部に認識された測定対象について、記憶部に記憶された測定頻度に関する情報によって、測定対象毎に報知出力を制御する。
【００７４】
この構成によって、本実施形態の体組成計１Ａは、測定対象が複数であっても、測定対象ごとに生体情報、生体情報が測定された時を示す情報を用いて、測定対象ごとに測定頻度を算出して、算出した測定頻度に応じた報知出力を行うことができる。この結果、本実施形態の体組成計１Ａによれば、利用者毎に測定頻度が異なっていても、利用者毎に、報知されて結果に応じて測定頻度を知ることができる。そして、本実施形態の体組成計１によれば、利用者毎に測定頻度を増やすようにモチベーションを上げることができるため、利用者毎の測定頻度を向上させることができる。
【００７５】
また、第１実施形態及び第２実施形態では、体組成計（１、または１Ａ）が表示部８０を備える例を説明したが、これに限られない。例えば、体組成計（１、または１Ａ）が不図示の通信部を備え、通信部を介して表示部を備える携帯端末に送信することで、利用者に測定頻度を報知するようにしてもよい。
同様に、第２実施形態における音響出力部２２０及び振動出力部２４０は、携帯端末が備えていてもよい。この場合においても、体組成計１Ａが不図示の通信部を備え、通信部を介して携帯端末に送信することで、利用者に測定頻度を報知するようにしてもよい。
【００７６】
また、第１実施形態及び第２実施形態において、体組成計（１または１Ａ）は、測定時以外であっても操作入力部２０を利用者によって操作されたことに応じて、記憶部（６０または６０Ａ）に記憶されている測定頻度に関する情報を読み出し、読み出した測定頻度に関する情報に基づいて、測定頻度に関する情報を報知するようにしてもよい。これにより、例えば、家族４人で１つの体組成計（１または１Ａ）を使用する場合であっても、親が子供達の測定頻度を読み出して確認することができる。なお、このように、測定時以外に測定頻度を読み出して表示する場合、利用者毎の体重や体組成の測定値などの生体情報を表示部８０上に表示させず、利用者毎の測定頻度のみを表示させるようにしてもよい。
【００７７】
なお、第１実施形態及び第２実施形態では、生体情報測定装置として体組成計の例を説明したが、血圧計、歩数計、血糖値、尿糖度、体温計等、生体情報を測定する装置であればよい。
【００７８】
なお、本発明における制御部４０、４０Ａの機能を実現するためのプログラムをコンピュータ読み取り可能な記録媒体に記録して、この記録媒体に記録されたプログラムをコンピュータシステムに読み込ませ、実行することにより各部の制御、測定頻度の演算を行ってもよい。なお、ここでいう「コンピュータシステム」とは、ＯＳや周辺機器等のハードウェアを含むものとする。また、「コンピュータシステム」は、ホームページ提供環境（あるいは表示環境）を備えたＷＷＷシステムも含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００７９】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【符号の説明】
【００８０】
１、１Ａ…体組成計、１０…生体情報センサ部、１０−１〜１０−４…電極、２０…操作入力部、３０…生体情報取得部、４０、４０Ａ…制御部、５０…タイムクロック部、６０、６０Ａ…記憶部、７０…表示駆動部、８０…表示部、２１０…音響駆動部、２２０…音響出力部、２３０…振動駆動部、２４０…振動出力部
【図１】
2015163169.tif 000003
【図２】
2015163169.tif 000004
【図３】
2015163169.tif 000005
【図４】
2015163169.tif 000006
【図５】
2015163169.tif 000007
【図６】
2015163169.tif 000008
【図７】
2015163169.tif 000009
【図８】
2015163169.tif 000010
【図９】
2015163169.tif 000011
【図１０】
2015163169.tif 000012
【図１１】
2015163169.tif 000013
【図１２】
2015163169.tif 000014